(57)【要約】【課題】電子回路部品を容易に取り出し、且つ効率良く収納できるようにする。【解決手段】部品用トレー１０に形成された収納凹部１５は、第１リジッド基板収納スペース４１、第１フレキシブル基板収納スペース４２、第２リジッド基板収納スペース４３、第２フレキシブル基板収納スペース４４、コネクタ収納スペース４５からなる。収納スペース４１〜４５に、カメラモジュール２０のリジッド基板２１、フレキシブル基板２３、リジッド基板２２、フレキシブル基板２４、コネクタ２９がそれぞれ収納される。フレキシブル基板収納スペース４２及びリジッド基板収納スペース４３が隣接する境界の近傍で、且つリジッド基板収納スペース４３の一部分に、陥没凹部５０が形成されている。リジッド基板２２を傾けると一端側が陥没凹部５０に沈み込み、フレキシブル基板２３が跳ね上がって容易に取り出し可能となる。【選択図】        図２
2006188277.tif 000002
【特許請求の範囲】
【請求項１】
上面から下方へ凹状に形成された収納凹部を有し、リジッド基板とフレキシブル基板とを接続して形成される電子回路部品を前記収納凹部に収納する部品用トレーにおいて、
前記収納凹部は、前記リジッド基板及びフレキシブル基板をそれぞれ収納するリジッド基板収納スペース及びフレキシブル基板収納スペースを有しており、前記リジッド基板収納スペース及びフレキシブル基板収納スペースが隣接する境界付近で、且つリジッド基板収納スペースの一部分に、周囲の支持部よりもさらに一段低く陥没している陥没凹部を有していることを特徴とする部品用トレー。
【請求項２】
前記陥没凹部に近接する前記フレキシブル基板収納スペースには、前記フレキシブル基板の屈曲部分が収納されることを特徴とする請求項１記載の部品用トレー。
【請求項３】
前記第フレキシブル基板収納スペースと前記リジッド基板収納スペースとが隣接する位置で、フレキシブル基板収納スペースの方が高い位置となる段差が形成されており、この段差に前記リジッド基板の端部が当接することを特徴とする請求項１又は２記載の部品用トレー。
【発明の詳細な説明】
【技術分野】
【０００１】
本発明は、電子回路部品を収納する部品用トレーに関する。
【背景技術】
【０００２】
例えば、携帯電話などに組み込まれる撮像装置などは、リジッド基板とフレキシブル基板とを接続して形成した電子回路部品から構成されており、このような電子回路部品は、部品用トレーに収納された状態で搬送される。そして、部品用トレーに載せられた状態で、性能や外観の検査を受けたり、組み立てラインで産業用ロボットなどにより取り出されて製品に組み込まれたり、あるいは別の工場へ搬送されたりする。
【０００３】
部品を収納して運搬するための部品用トレーとしては、例えば特許文献１，２に示すように、部品を収納するためのポケット（凹部）が形成され、この凹部に部品を保持させて運搬可能なものが知られている。
【特許文献１】特開平７−２５７６８２号公報（第１頁）
【特許文献１】実開平７−２８８３３号公報（第２頁）
【発明の開示】
【発明が解決しようとする課題】
【０００４】
しかしながら、上記特許文献１，２に記載されているような部品用トレーでは、リジッド基板とフレキシブル基板とを接続して形成した電子回路部品のようなものを収納することを考慮しておらず、このような部品用トレーでは、取り出しの容易性、及び収納スペースの効率が悪くなってしまう。すなわち、リジッド基板とフレキシブル基板とを接続して形成した部品を収納するためには、広くて、複雑な形状の収納スペースが必要となるうえに、トレーから取り出すときに部品を掴み易くするため、あるいは部品をトレーに引っ掛けたりしない様に、収納スペースの周囲に余裕を持たせなければならず、スペース効率が悪くなり、トレーが大型のものになってしまう。また、部品を平置きせず、縦置きすることも考えられるが、構造的に縦置きに不向きな部品も多く、また、深い収納スペースが必要となるので、トレーの成形が困難になったり、トレーの高さが増加するのでスペース効率を悪くしてしまったりする。
【０００５】
本発明は、上記事情を考慮してなされたものであり、リジッド基板とフレキシブル基板とを接続して形成した電子回路部品を容易に取り出すことができるようにするとともに、部品を効率良く収納可能とし、コンパクト化を図ることが可能な部品用トレーを提供することを目的とする。
【課題を解決するための手段】
【０００６】
上記課題を解決するために、本発明の部品用トレーは、上面から下方へ凹状に形成された収納凹部を有し、リジッド基板とフレキシブル基板とを接続して形成される電子回路部品を前記収納凹部に収納する部品用トレーにおいて、前記収納凹部は、前記リジッド基板及びフレキシブル基板をそれぞれ収納するリジッド基板収納スペース及びフレキシブル基板収納スペースを有しており、前記リジッド基板収納スペース及びフレキシブル基板収納スペースが隣接する境界付近で、且つリジッド基板収納スペースの一部分に、周囲の支持部よりもさらに一段低く陥没している陥没凹部を有していることを特徴とする。
【０００７】
なお、前記陥没凹部に近接する前記フレキシブル基板収納スペースには、前記フレキシブル基板の屈曲部分が収納されることが好ましい。また、前記第フレキシブル基板収納スペースと前記リジッド基板収納スペースとが隣接する位置で、フレキシブル基板収納スペースの方が高い位置となる段差が形成されており、この段差に前記リジッド基板の端部が当接することが好ましい。
【発明の効果】
【０００８】
本発明の部品用トレーによれば、部品用トレーの収納凹部は、リジッド基板及びフレキシブル基板をそれぞれ収納するリジッド基板収納スペース及びフレキシブル基板収納スペースを有しており、リジッド基板収納スペース及びフレキシブル基板収納スペースが隣接する境界付近で、且つリジッド基板収納スペースの一部分に、周囲の支持部よりもさらに一段低く陥没している陥没凹部を有しているので、この陥没凹部にリジッド基板の一端側を沈み込ませるように傾ければ、フレキシブル基板の一部分が跳ね上がり、電子回路部品を容易に取り出すことができる。さらに、電子回路部品を収納するスペースを余分に取る必要がないから、効率良く収納することができ、コンパクト化を図ることができる。
【発明を実施するための最良の形態】
【０００９】
図１は、本実施形態を適用した部品用トレーと、このトレーに収納される電子回路部品としてのカメラモジュールを示す斜視図である。部品用トレー１０は、その上面に、カメラモジュール２０を収納するための収納凹部１５が複数形成されている。この部品用トレー１０は、ＰＳ（ポリスチレン）又はＰＰ（ポリプロピレン）から成形されることが好ましい。なお、これに限らず、ＰＥＴ（ペット樹脂）やＰＶＣ（ポリ塩化ビニル）を使用してもよい。また、部品用トレー１０の厚みｔ（図３参照）は、０．４ｍｍ以上、１．５ｍｍ以下であることが好ましい。さらにまた、図１においては、１つの部品用トレー１０に対して６個の収納凹部１５が１列に並んで形成されているが、収納凹部１５の個数及び配列はこれに限るものではない。
【００１０】
カメラモジュール２０は、詳しくは図２に示すように、携帯電話などの携帯用電子機器に組み込まれ、撮像機能を付加するものである。このカメラモジュール２０は、第１リジッド基板２１、第２リジッド基板２２、第１フレキシブル基板２３、第２フレキシブル基板２４、固体撮像素子２６、光学ユニット２７、シールドケース２８、コネクタ２９からなる。
【００１１】
第１リジッド基板２１は、剛性を有するガラスエポキシ基板やセラミック基板等からなり、上面に固体撮像素子２６が実装されている。固体撮像素子２６は、第１リジッド基板２１に物理的及び電気的に接続されている。光学ユニット２７は、レンズホルダ３１と、このレンズホルダ３１に組み込まれた撮像レンズ３２とからなり、固体撮像素子２６の上面に固着されている。なお、この光学ユニット２１には、ズームレンズ機構やピント調節機構が組み込まれている場合もあり、この場合、電力供給や、駆動信号を送るために、第１リジッド基板２１に電気的に接続される。
【００１２】
上述した第１リジッド基板２１は、可撓性を有する第１フレキシブル基板２３を介して、第２リジッド基板２２と電気的に接続されている。第２リジッド基板２２は、剛性を有しており、固体撮像素子２６を駆動制御するための制御回路などが実装され、この実装された回路を保護するためにシールドケース２８が固着されている。なお、第２リジッド基板２２に実装された制御回路は、撮像機能のみを制御するサブコントローラであり、電子機器全体を制御するためのメインコントローラと接続する必要がある。そこで、第２リジッド基板２２は、可撓性を有する第２フレキシブル基板２４を介してコネクタ２９と接続されており、このコネクタ２９によってメインコントローラが形成されたメイン基板などと接続される。
【００１３】
第１フレキシブル基板２３は、一方側の端部２３ａが第１リジッド基板２１の端部２１ａに、他方側の端部２３ｂが第２リジッド基板２２の一方側の端部２２ａにそれぞれ接続されており、端部２２ａから端部２２ｂまでの途中で、略直角な方向に屈曲するＬ字型状の屈曲部２３ｃが形成されている。なお、第１フレキシブル基板２３は、このような形状に限らず、緩い曲線状で屈曲するような円弧状に形成されたものでもよい。
【００１４】
第２フレキシブル基板２４は、直線状に形成され、一方側の端部２４ａが第２リジッド基板２２の他方側の端部２２ｂに、他方側の端部２４ｂがコネクタ２９にそれぞれ接続されている。
【００１５】
収納凹部１５は、詳しくは図２に示すように、カメラモジュール２０に合わせた略Ｌ字状で、一端側から順に、第１リジッド基板収納スペース４１、第１フレキシブル基板収納スペース４２、第２リジッド基板収納スペース４３、第２フレキシブル基板収納スペース４４、及びコネクタ収納スペース４５が連続して形成されている。これら収納スペース４１〜４５に、第１リジッド基板２１、第１フレキシブル基板２３、第２リジッド基板２２、第２フレキシブル基板２４、コネクタ２９がそれぞれ収納されるように、各部品に合わせた寸法となっている。また、部品用トレー１０には、第１フレキシブル基板収納スペース４２から連続する溝４８が形成されている。この溝４８は、作業者の指が挿入可能な寸法になっている。さらにまた、溝４８は、互いに隣り合う位置に形成された第１フレキシブル基板収納スペース４２の間を繋ぐように形成されている。
【００１６】
図３に示すように、第１フレキシブル基板収納スペース４２、第２リジッド基板収納スペース４３、第２フレキシブル基板収納スペース４４は、カメラモジュール２０の第１フレキシブル基板２３、第２リジッド基板２２、第２フレキシブル基板２４の高さの違いに合わせて下方へ凹となるように形成されており、第２リジッド基板収納スペース４３の位置が、これに隣接する第１及び第２フレキシブル基板収納スペース４２，４４よりも低くなっている。これにより、カメラモジュール２０が収納凹部１５に収納されたとき、第１フレキシブル基板２３、第２リジッド基板２２、第２フレキシブル基板２４が互いに平行に収納される。なお、符号５１は、第１フレキシブル基板収納スペース４２の端縁に沿ったコーナー部（第２リジッド基板収納スペース４３との境界４６に面する）で、符号５２は、第２フレキシブル基板収納スペース４４の端縁に沿ったコーナー部（第２リジッド基板収納スペース４３との境界４７に面する）を示す。
【００１７】
そして、第１フレキシブル基板収納スペース４２及び第２リジッド基板収納スペース４３が隣接する境界４６の近傍で、且つ第２リジッド基板収納スペース４３の一部分に、周囲の支持部４９よりもさらに一段低く陥没している陥没凹部５０が形成されている。なお、陥没凹部５０と隣接するコーナー部５１、５３は、角が丸められている。
【００１８】
上記構成の作用について図４を用いて、以下に説明する。なお、図３は、図２のＡ−Ａ線に沿って切断した部分断面図であり、図面の煩雑化を防ぐため、第２リジッド基板２２に実装された回路部品などを省略している。部品用トレー１０からカメラモジュール２０を取り出すときには、先ず、図３（Ａ）に示すように、第２リジッド基板２２の一方の端部２２ａ、すなわち、陥没凹部５０が形成されているほうの一端側を、例えば作業者の指５６、あるいは作業用ロボットなどで下方に押し込んで第２リジッド基板２２を傾かせる。これにより、第２リジッド基板２２の端部２２ａに接続されている第１フレキシブル基板２３の端部２３ｂも陥没凹部５０へ移動する。そして、第１フレキシブル基板収納スペース４２及び第２リジッド基板収納スペース４３には段差があるため、端部２３ｂが下方へ移動した第１フレキシブル基板２３はコーナー部５１に当接し、これを支点にして第１フレキシブル基板２３の屈曲部２３ｃ付近が跳ね上がる（図３（Ｂ）参照）。よって、屈曲部２３ｃ付近が第１フレキシブル基板収納スペース４２から離れるので、掴み易くなり、この屈曲部２３ｃ付近を掴んでカメラモジュール２０を容易に取り出すことができる。また、屈曲部２３ｃは、上述したように、Ｌ字状または円弧状などに屈曲しているので、作業者の指５６、または作業用ロボットなどで容易に掴むことができる。さらにまた、溝４８（図２参照）から指５６を挿入することによって、第１フレキシブル基板２３を掴み易くしている。なお、カメラモジュール２０が部品用トレー１０に収納状態のとき、第２リジッド基板２２は、陥没凹部５０によって傾きそうになるが、第２リジッド基板収納スペース４３の両端のコーナー部５１，５２と当接する（コーナー部５１，５２の方が第２リジッド基板収納スペース４３よりも高い位置にある）ので、第２リジッド基板２２は傾かずに保持される。
【００１９】
このように、部品用トレー１０の収納凹部１５からカメラモジュール２０（電子回路部品）を容易に取り出すことが可能であり、且つ、収納凹部の周囲に余分なスペースを必要としないので、効率良く電子回路部品を収納することが可能であり、部品用トレーのコンパクト化を図ることが可能である。
【００２０】
なお、上述した部品用トレー１０にカメラモジュール２０が収納されるとき、図４に示すように、部品用トレー１０が積層状態となっていることがある。なお、図４においては、便宜上、下方に位置する部品用トレー１０を符号１０ａ、上方に位置する部品用トレー１０を符号１０ｂとして図示している。上述したように部品用トレー１０の上面には、一体成形によって収納凹部１５が形成されている。よって、部品用トレー１０の底面には、収納凹部１５の裏面から下方へ凸となる凸部６０が形成されている。この凸部６０のうち、上述した陥没凹部５０に対応した位置が最も下方へ突出する突出部６１となっており、図４に示す積層状態となったとき、下方の部品用トレー１０ａに収納されているカメラモジュール２０のシールドケース２８に、上方の部品用トレー１０ｂに形成された突出部６１が当接している。これにより、第２リジッド基板２２は上方から押え付けられた状態となり、より確実に保持されることになる。
【００２１】
なお、上記実施形態においては、部品用トレーに収納される電子回路部品として固体撮像素子を用いたカメラモジュールを例に上げているが、本発明はこれに限るものではなく、リジッド基板とフレキシブル基板とを接続して形成された電子回路部品であればどのようなものでもよい。
【図面の簡単な説明】
【００２２】
【図１】本発明の部品用トレーの一例を示す斜視図である。
【図２】部品用トレーの収納凹部周辺の構成を示す斜視図である。
【図３】電子回路部品を取り出すときの状態を示す説明図である。
【図４】部品用トレーを積層して収納するときの状態を示す部分断面図である。
【符号の説明】
【００２３】
１０  部品用トレー
２１，２２  リジッド基板
２３，２４  フレキシブル基板
４１，４３  リジッド基板収納スペース
４２，４４  フレキシブル基板収納スペース
５０  陥没凹部
【図１】
2006188277.tif 000003
【図２】
2006188277.tif 000004
【図３】
2006188277.tif 000005
【図４】
2006188277.tif 000006